(57)【要約】【課題】黒ニキビ分析機能を支援する可視美顔器を提供する。【解決手段】制御モジュール１、画像採集モジュール２、吸引制御モジュール３、補光モジュール４、吸引ノズルアセンブリ５を備え、画像採集モジュール２は吸引区域の画像信号を採集し制御モジュール１にフィードバックし、制御モジュール１は画像信号を分析し吸引制御モジュール３と補光モジュール４を制御し、吸引制御モジュール３は吸引ノズルアセンブリ５を通して皮膚表面の白ニキビと黒ニキビを吸引し、補光モジュール４は白ニキビと黒ニキビの識別度を高め、皮膚内層の深い位置の黒ニキビと白ニキビの分布とサイズを観察して、吸引の前後で数を比較可能であって、清潔さを確保し、クレンジング効果を向上し、吸引力過大による皮膚へのダメージを防止できる。【選択図】図3
0003224310.tif 000002
【実用新案登録請求の範囲】
【請求項１】
黒ニキビ分析機能を支援する可視美顔器であって、
制御モジュール、画像採集モジュール、吸引制御モジュール、補光モジュール、吸引ノズルアセンブリ、携帯端末を備え、
該画像採集モジュールは、吸引区域の画像信号を採集して該制御モジュールにフィードバックし、
該制御モジュールは、該画像信号を分析して該吸引制御モジュールと該補光モジュールを制御し、
該吸引制御モジュールは、該吸引ノズルアセンブリを通して、皮膚表面の白ニキビと黒ニキビを吸引し、
該補光モジュールは、白ニキビと黒ニキビの識別度を高め、
該携帯端末と該制御モジュールは、通信連接し、該携帯端末は、画像分析モジュールと画像表示モジュールを統合し、
該画像分析モジュールは、該画像情報を分析し、該画像表示モジュールは、画像情報を画像或いは映像に転換することを特徴とする黒ニキビ分析機能を支援する可視美顔器。
【請求項２】
前記吸引制御モジュールは、真空ポンプ、及び該真空ポンプを駆動するモーターを備え、
該真空ポンプには、吸気口と排気口を設置し、
該排気口は外界の空間に連通し、
前記吸引ノズルアセンブリは、吸引ノズル本体、及び該吸引ノズル本体に被せるスリーブを備え、
該吸引ノズル本体と該スリーブの間には、光透過レンズとＯリングを設置し、
該スリーブの吸引口位置にはシリコーン部を設置し、
該吸引ノズル本体は、導管を通して、該吸気口に連通することを特徴とする請求項１に記載の黒ニキビ分析機能を支援する可視美顔器。
【請求項３】
前記可視美顔器は、外殼をさらに備え、
該外殼には、制御ボタン及びインジケーターを設置し、
該制御ボタンは、スイッチボタンとモード切替えボタンを備え、
該スイッチボタンと該モード切替えボタンは共に、制御モジュールと電気的に連接し、
該インジケーターは、吸引力レベルインジケーターと電源状態インジケーターを備え、
該吸引力レベルインジケーターと該電源状態インジケーターは共に、制御モジュールと電気的に連接することを特徴とする請求項１に記載の黒ニキビ分析機能を支援する可視美顔器。
【考案の詳細な説明】
【技術分野】
【０００１】
本考案は美容とビデオイメージ処理の技術領域に関し、特に黒ニキビ分析機能を支援する可視美顔器に関する。
【背景技術】
【０００２】
黒ニキビは、皮脂、細胞屑、細菌により組成される“栓”様物で、皮膚（特に顔）上でしばしば見られ、多くの人の悩みのタネとなっている。
現在、黒ニキビを取り除くのに用いられる方法には、ケミカルマスク吸着法と機器吸引法があるが、ケミカルマスクにより黒ニキビを取り除く方法は吸着効果が悪く、長期間使用すれば、各種の化学成分を含むフェイスマスクは皮膚に害を及ぼす恐れがある。
【０００３】
一般に業界で用いられている美顔器は、充電管理回路、電池保護回路、ＭＣＵメインコントロール回路、定圧制御回路、美容ランプ制御回路、美容ランプ回路を備える。
該充電管理回路と電池保護回路は連接し、該ＭＣＵメインコントロール回路は、該電池保護回路、定圧制御回路、美容ランプ制御回路とそれぞれ連接する。
該美容ランプ制御回路と該美容ランプ回路は連接し、該電池保護回路は、該定圧制御回路、美容ランプ制御回路とさらにそれぞれ連接する。
【０００４】
上記した従来の構造は、一定程度は安定的に出力されるが、やはり以下の欠点が存在する。
第一には、黒ニキビを除去する過程で、皮膚表面を観察できないため、黒ニキビ除去効果に影響を及ぼす。
第二には、皮膚内層の深い位置にある黒ニキビ及び白ニキビの分布とサイズを観察できない。
第三には、吸引前後の黒ニキビ及び白ニキビの数を比較できない。
【先行技術文献】
【特許文献】
【０００５】
【特許文献１】特開２００３−３８２４７号公報
【特許文献２】実開昭６３−７６３１４号公報
【考案の概要】
【考案が解決しようとする課題】
【０００６】
本考案の目的は、皮膚内層の深い位置の黒ニキビ及び白ニキビの分布とサイズを観察でき、吸引前後の黒ニキビと白ニキビの数を比較でき、徹底的にクリーンにして清潔さを確保し、クレンジング効率の向上に有利で、吸引力過大による皮膚へのダメージを防止できる黒ニキビ分析機能を支援する可視美顔器を提供することである。
【課題を解決するための手段】
【０００７】
黒ニキビ分析機能を支援する可視美顔器は、制御モジュール、画像採集モジュール、吸引制御モジュール、補光モジュール、吸引ノズルアセンブリを備える。
該画像採集モジュールは、吸引区域の画像信号を採集し、該制御モジュールにフィードバックし、該制御モジュールは、該画像信号を分析し、該吸引制御モジュールと該補光モジュールを制御し、該吸引制御モジュールは、該吸引ノズルアセンブリを通して、皮膚表面の白ニキビと黒ニキビを吸引し、該補光モジュールは、白ニキビと黒ニキビの識別度を高める。
【０００８】
好ましくは、該可視美顔器は、携帯端末をさらに有し、該携帯端末と該制御モジュールは、通信連接し、該携帯端末は、画像分析モジュールと画像表示モジュールを統合し、該画像分析モジュールは画像を分析する。
【０００９】
好ましくは、該吸引ノズルアセンブリは、吸引ノズル本体、及び該吸引ノズル本体に被せるスリーブを備え、該吸引ノズル本体と該スリーブの間には、光透過レンズとＯリングを設置し、該スリーブの吸引口位置にはシリコーン部を設置する。
【００１０】
好ましくは、該吸引制御モジュールは、真空ポンプ、及び該真空ポンプを制御するモーターを備え、該真空ポンプには、吸気口と排気口を設置し、該排気口は外界の空間に連通し、該吸気口は、導管を通して、吸引ノズル本体に連通する。
【００１１】
好ましくは、該可視美顔器は、電源モジュールをさらに備え、該電源モジュールは、電池、及び該電池に連接する電池管理装置を備え、該電池管理装置は、該制御モジュール、該画像採集モジュール、該吸引制御モジュール、該補光モジュール、該携帯端末とそれぞれ電気的に連接する。
【００１２】
好ましくは、該可視美顔器は、外殼をさらに備え、該外殼には、制御ボタンを設置し、該制御ボタンは、スイッチボタンとモード切替えボタンを備え、該スイッチボタンと該モード切替えボタンは共に、制御モジュールと電気的に連接する。
【００１３】
好ましくは、該外殼には、インジケーターを設置し、該インジケーターは、吸引力レベルインジケーターと電源状態インジケーターを有し、該吸引力レベルインジケーターと該電源状態インジケーターは共に、制御モジュールと電気的に連接する。
【考案の効果】
【００１４】
本考案は制御モジュール、画像採集モジュール、吸引制御モジュール、補光モジュール、吸引ノズルアセンブリを備える。
該画像採集モジュールは、吸引区域の画像信号を採集し、該制御モジュールにフィードバックし、該制御モジュールは、該画像信号を分析し、該吸引制御モジュールと該補光モジュールを制御し、該吸引制御モジュールは、該吸引ノズルアセンブリを通して、皮膚表面の白ニキビと黒ニキビを吸引し、該補光モジュールは、白ニキビと黒ニキビの識別度を高める。
画像採集モジュールは、固定焦点マクロカメラで、多数倍の画像拡大機能とデジタル拡大機能を備え、吸引区域内の皮膚の画像或いは映像を撮影し、制御モジュールに送信して分析を行い、皮膚内層の深い位置の白ニキビ及び黒ニキビの分布区域とサイズを分析可能で、続いて制御モジュールは、吸引制御モジュールを制御し、異なるレベルの負圧を出力して吸引力を調節し、吸引力過大による皮膚の赤い腫れやダメージを回避できる。
同時に、画像の採集時、制御モジュールは、補光モジュールを制御し明るさを補い、画像の品質を向上して白ニキビと黒ニキビの識別度を向上させることができる。
吸引ノズルアセンブリと皮膚が接触すると、吸引制御モジュールが生じる負圧真空圧力は、皮膚の深い位置の白ニキビと黒ニキビを吸い出して除去する。
本考案は、皮膚内層の深い位置の黒ニキビ及び白ニキビの分布とサイズを観察でき、吸引前後の黒ニキビと白ニキビの数を比較でき、徹底的にクリーンにして清潔さを確保し、クレンジング効率の向上に有利で、吸引力過大による皮膚へのダメージを防止できる。
【図面の簡単な説明】
【００１５】
【図１】本考案の構造模式図である。
【図２】本考案の吸引ノズルアセンブリの分解模式図である。
【図３】本考案の制御模式図である。
【考案を実施するための形態】
【００１６】
（実施例）
【００１７】
図１〜３に示すように、黒ニキビ分析機能を支援する可視美顔器は、制御モジュール１、画像採集モジュール２、吸引制御モジュール３、補光モジュール４、吸引ノズルアセンブリ５を備える。
【００１８】
該画像採集モジュール２は、吸引区域の画像信号を採集し、制御モジュール１にフィードバックし、制御モジュール１は、画像信号を分析し、吸引制御モジュール３と補光モジュール４を制御し、吸引制御モジュール３は、吸引ノズルアセンブリ５を通して、皮膚表面の白ニキビと黒ニキビを吸引し、補光モジュール４は、白ニキビと黒ニキビの識別度を高める。
【００１９】
該画像採集モジュール２は、固定焦点マクロカメラで、多数倍の画像拡大機能とデジタル拡大機能を備え、吸引区域内の皮膚の画像或いは映像を撮影し、制御モジュール１に送信して分析を行い、皮膚内層の深い位置の白ニキビ及び黒ニキビの分布区域とサイズを分析可能で、続いて制御モジュール１は、吸引制御モジュール３を制御し、異なるレベルの負圧を出力して吸引力を調節し、吸引力過大による皮膚の赤い腫れやダメージを回避できる。
【００２０】
同時に、画像の採集時、制御モジュール１は、補光モジュール４を制御して明るさを補い、画像の品質を高め、こうして白ニキビと黒ニキビの識別度を向上させることができる。
【００２１】
吸引ノズルアセンブリ５と皮膚が接触すると、吸引制御モジュール３が生じる負圧真空圧力は、皮膚の深い位置の白ニキビと黒ニキビを吸い出して除去する。
【００２２】
制御モジュール１は、例えばＡＲＭ９  ＳＯＣ処理チップとして市販されている、型番号はＵＳ６８０８で、ＵＳＢ  ２．０高速通信及びＵＳＢ  ＯＨＣＩ／ＥＨＣＩホストコントローラーとレシーバーを支援する。
【００２３】
画像採集モジュール２は、１００万画素センサーを採用したカメラレンズで、ＵＳＢ通信プロトコルと制御モジュール１のチップＵＳ６８０８を連接し、７２０Ｐ  ＨＤ映像のイメージ及び１２８０＊７２０ビットの撮影を支援する。
【００２４】
カメラレンズは、吸引ノズルアセンブリ５の中央位置に取り付け、吸引区域の皮膚表面及び黒ニキビと白ニキビを撮影し、盲目的な黒ニキビ吸引及び残滓処理不十分を防止する。
【００２５】
好ましくは、可視美顔器は、携帯端末６をさらに有し、携帯端末６と制御モジュール１は、通信連接し、携帯端末６は、画像分析モジュール６１と画像表示モジュール６２を統合し、画像分析モジュール６１は、画像情報を分析し、画像表示モジュール６２は、画像情報を画像或いは映像に転換する。
【００２６】
画像分析モジュール６１と画像表示モジュール６２は、携帯端末６のアプリケーションソフト上に統合され、制御モジュール１と通信する。
【００２７】
画像分析モジュール６１は、ＤＳＰ画像演算能力、及び該制御モジュール１と双方向通信を行う機能を備える。
【００２８】
好ましくは、携帯端末６と制御モジュール１間のデータ交換の方式は、データ線連接或いはＷｉＦｉ  ＡＰモードで、データ線の連接インターフェースは、ＵＳＢ-Ａ、ＵＳＢ  ＴＹＰＥ-Ｃ或いはＭＩＣＲＯ  ＵＳＢインターフェースである。
【００２９】
好ましくは、携帯端末６は、ｉＯＳシステム端末或いはアンドロイドシステム端末で、携帯端末６には、タッチパネルを設置する。
【００３０】
タッチパネルを通して、写真撮影及び録画機能、写真と映像ファイルの閲覧と再生機能、関連ファイルの共用機能、コピー、ペースト、削除機能を実現でき、及び制御モジュール１との即時双方向通信を通して、美顔器の電池容量をタッチパネルに表示する。
【００３１】
好ましくは、補光モジュール４は、若干組のＬＥＤランプを備え、その内一組の該ＬＥＤランプは、白色灯で、その内一組の該ＬＥＤランプは、波長が３６０〜４００ｎｍ範囲のＵＶＡ紫色灯で、その内一組の該ＬＥＤランプは、波長が４１０〜４２０ｎｍ範囲の青色灯で、その内一組の該ＬＥＤランプは、波長が６３０〜６４０ｎｍ範囲の赤色灯である。
【００３２】
白色灯は、画像採集過程で補光を行い画像の品質を高め、４１０〜４２０ｎｍ範囲の青色灯は、ニキビ治療と消炎等に用いられ、３６０〜４００ｎｍ範囲のＵＶＡ紫色灯は、カメラレンズの撮影時に、一時的な補光を行い、皮膚の深い位置の白ニキビと黒ニキビの位置及び大きさの識別を実現し、白ニキビと黒ニキビの識別率を高められ、６３０〜６４０ｎｍ範囲の赤色灯は、ニキビ跡を薄くし、肌を柔らかくする等の美容効果を備える。
【００３３】
好ましくは、吸引ノズルアセンブリ５は、吸引ノズル本体５１、及び吸引ノズル本体５１に被せるスリーブ５２を備え、吸引ノズル本体５１とスリーブ５２の間には、光透過レンズ１０とＯリング２０を設置し、スリーブ５２の吸引口位置にはシリコーン部を設置する。
【００３４】
スリーブ５２の吸引口位置は、ソフトシリコーンで包み、黒ニキビ及び白ニキビを吸引する際に、柔軟で肌に優しく接触し、使用感をよりよくし、Ｏリング２０は密封と固定の作用を生じる。
【００３５】
好ましくは、吸引制御モジュール３は、真空ポンプ３１、及び真空ポンプ３１を制御するモーター３２を備え、真空ポンプ３１には、吸気口と排気口を設置し、排気口は外界の空間に連通し、吸気口は、導管を通して、吸引ノズル本体５１に連通する。
【００３６】
モーター３２は、５Ｖ給電で、回転速度は最大で６８００ＲＰＭである。
【００３７】
好ましくは、可視美顔器はさらに、電源モジュール７をさらに備え、電源モジュール７は、電池７１、及び電池７１に連接する電池管理装置７２を備え、電池管理装置７２は、制御モジュール１、画像採集モジュール２、吸引制御モジュール３、補光モジュール４、携帯端末６とそれぞれ電気的に連接する。
【００３８】
電源モジュール７は充電しながらの放電を支援し、電池７１は１８６５０    ２０００ｍＡｈポリマーバッテリーを採用し、充電電流は１０００ｍＡで、データ伝送ポートを通して携帯端末６に充電することができる。
【００３９】
電池管理装置７２のチップの型番号はＥＴＡ６０８５で、スイッチ型電源チップで、転換効率が高く、発熱が少ないという長所を備える。
【００４０】
好ましくは、可視美顔器は、外殼３０をさらに備え、外殼３０には、制御ボタン８を設置し、制御ボタン８は、スイッチボタン８１とモード切替えボタン８２を備え、スイッチボタン８１とモード切替えボタン８２は共に、制御モジュール１と電気的に連接し、制御ボタン８を押せば、使用者は作動モードを切り替えられ、及び吸引力の大きさを調整できる。
【００４１】
スイッチボタン８１は、スイッチ機能とレベル切り替え機能を統合し、モード切替えボタン８２は、画像表示モジュール６２をオンにでき、同時に、画像採集モジュール２は撮影を行う。
【００４２】
画像表示モジュール６２をオフにすると、制御モジュール１は４１０〜４２０ｎｍ波長の青色灯をオンにし、ニキビ治療と消炎を行う。
【００４３】
好ましくは、外殼３０には、インジケーター９をさらに設置し、インジケーター９は、吸引力レベルインジケーター９１と電源状態インジケーター９２を有し、吸引力レベルインジケーター９１と電源状態インジケーター９２は共に、制御モジュール１と電気的に連接し、吸引力レベルインジケーター９１により使用者は美顔器の吸引力の大きさをリアルタイムで知ることができる。
【００４４】
本考案の作動原理は以下の通りである。
画像採集モジュール２は、固定焦点マクロカメラで、多数倍の画像拡大機能とデジタル拡大機能を備え、吸引区域内の皮膚の画像或いは映像を撮影し、制御モジュール１に送信し分析を行い、皮膚内層の深い位置の白ニキビ及び黒ニキビの分布区域とサイズを分析可能で、続いて制御モジュール１は、吸引制御モジュール３を制御し、異なるレベルの負圧を出力して吸引力を調節し、吸引力過大による皮膚の赤い腫れやダメージを回避できる。
【００４５】
同時に、画像の採集時、制御モジュール１は、補光モジュール４を制御し明るさを補い、画像の品質を高め、こうして白ニキビと黒ニキビの識別度を向上させることができ、吸引ノズルアセンブリ５と皮膚が接触すると、吸引制御モジュール３が生じる負圧真空圧力は、皮膚の深い位置の白ニキビと黒ニキビを吸い出して除去する。
【００４６】
画像分析モジュール６１と画像表示モジュール６２は、携帯端末６のアプリケーションソフト上に統合され、制御モジュール１と通信する。
【００４７】
タッチパネルを通して、写真撮影及び録画機能、写真と映像ファイルの閲覧と再生機能、関連ファイルの共用機能、コピー、ペースト、削除機能を実現でき、及び制御モジュール１との即時双方向通信を通して、美顔器の電池容量をタッチパネルに表示する。
【産業上の利用可能性】
【００４８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４９】
１  制御モジュール
２  画像採集モジュール
３  吸引制御モジュール
４  補光モジュール
５  吸引ノズルアセンブリ
６  携帯端末
７  電源モジュール
８  制御ボタン
９  インジケーター
１０  光透過レンズ
２０  Ｏリング
３０  外殼
３１  真空ポンプ
３２  モーター
５１  吸引ノズル本体
５２  スリーブ
６１  画像分析モジュール
６２  画像表示モジュール
７１  電池
７２  電池管理装置
８１  スイッチボタン
８２  モード切替えボタン
９１  吸引力レベルインジケーター
９２  電源状態インジケーター
【図１】
0003224310.tif 000003
【図２】
0003224310.tif 000004
【図３】
0003224310.tif 000005
【手続補正書】
【提出日】令和1年10月8日(2019.10.8)
【手続補正１】
【補正対象書類名】実用新案登録請求の範囲
【補正対象項目名】請求項１
【補正方法】変更
【補正の内容】
【請求項１】
黒ニキビ分析機能を支援する可視美顔器であって、
制御モジュール、画像採集モジュール、吸引制御モジュール、補光モジュール、吸引ノズルアセンブリ、携帯端末を備え、
該画像採集モジュールは、吸引区域の画像信号を採集して該制御モジュールにフィードバックし、
該制御モジュールは、該画像信号を分析して該吸引制御モジュールと該補光モジュールを制御し、
該吸引制御モジュールは、該吸引ノズルアセンブリを通して、皮膚表面の白ニキビと黒ニキビを吸引し、
該補光モジュールは、白ニキビと黒ニキビの識別度を高め、
該携帯端末と該制御モジュールは、通信連接し、該携帯端末は、画像分析モジュールと画像表示モジュールを統合し、
該画像分析モジュールは、該画像信号を分析し、該画像表示モジュールは、画像信号を画像或いは映像に転換することを特徴とする黒ニキビ分析機能を支援する可視美顔器。